(57)【要約】      （修正有）【課題】装飾を施した部分が収納箱の外部に露出しているため、収納箱の持ち運びや流通などの過程で、装飾を施した部分が破損、劣化してしまうという問題があり、装飾を施した部分を保護することができる収納箱を提供する。【解決手段】収納部と蓋体とから少なくともなる収納箱の、少なくとも蓋体に装飾を施し、該蓋体を覆う透明なカバーを備えた収納箱を第１の要旨とし、前記収納部が、少なくとも前記蓋体に装飾を施すクレヨン及び／又は絵の具を収納する収納箱を第２の要旨とする。【選択図】図１
2019014480.tif 000002
【特許請求の範囲】
【請求項１】
収納部と蓋体とから少なくともなる収納箱の、少なくとも蓋体に装飾を施し、該蓋体を覆う透明なカバーを備えた収納箱。
【請求項２】
前記収納部が、少なくとも前記蓋体に装飾を施すクレヨン及び／又は絵の具を収納する請求項１に記載の収納箱。
【発明の詳細な説明】
【技術分野】
【０００１】
本発明は、装飾を施した収納箱に関する。
【背景技術】
【０００２】
従来、装飾を施した収納箱が検討されている。
例えば特許文献１（特開２０１６−１３７９２２号公報）には、装飾を施した基材からなる収納箱が開示されている。
【先行技術文献】
【特許文献】
【０００３】
【特許文献１】特開特開２０１６−１３７９２２号公報
【発明の概要】
【発明が解決しようとする課題】
【０００４】
特許文献１に記載の発明は、装飾を施した部分が収納箱の外部に露出しているため、収納箱の持ち運びや流通などの過程で、装飾を施した部分が破損、劣化してしまうという問題があった。
本発明は、装飾を施した部分を保護することができる収納箱を提供することを目的とする。
【課題を解決するための手段】
【０００５】
本発明は、収納部と蓋体とから少なくともなる収納箱の、少なくとも蓋体に装飾を施し、該蓋体を覆う透明なカバーを備えた収納箱を第１の要旨とし、前記収納部が、少なくとも前記蓋体に装飾を施すクレヨン及び／又は絵の具を収納する収納箱を第２の要旨とする。
【発明の効果】
【０００６】
本発明の収納箱は、収納部と蓋体とから少なくともなる収納箱の、少なくとも蓋体に装飾を施し、該蓋体を透明なカバーで覆っているため、装飾を施した部分を保護することができつつ、収納箱の外部への視覚的な訴求効果を維持することができる。また前記収納部が、少なくとも前記蓋体に装飾を施すクレヨン及び／又は絵の具を収納するものとすることで、収納箱の装飾に必要な描画材を別途用意する必要が無く、容易に、使用者が所望の装飾を施した収納箱を得ることができる。
【図面の簡単な説明】
【０００７】
【図１】実施例１の収納箱１の斜視図
【図２】蓋体２の展開図
【図３】透明なカバー４の展開図
【図４】収納部５の展開図
【図５】実施例２の収納箱１の斜視図
【発明を実施するための形態】
【０００８】
本発明の収納箱は、収納部と蓋体とから少なくともなるものである。例えば、収納部と蓋体が別体のもの、収納部と蓋体が一体のものなど、任意の形態が選択可能である。特に、収納部と蓋体が別体のものであると、後述する、少なくとも蓋体への装飾と、透明なカバーの取り付けが容易なため好ましい。
【０００９】
本発明の収納箱は、少なくとも蓋体に装飾を施しており、視覚的な訴求効果を得ることができる。収納部に収納するものに合わせたり、使用者が任意の装飾を施すことができる。装飾を施す方法も、クレヨン、絵の具、カラーペンその他の描画材による描画、装飾を施した別部材を蓋体と透明なカバーの間に挟む、印刷などの方法が適宜選択可能である。収納部に装飾を施しても差し支えない。
蓋体は、収納物が外部に落下したり、汚れたりしないよう、収納部を覆う部材であり、材料を折り曲げたり、組み合わせたりすることで形成されている。装飾を施す方法や収納部に収納する物に合わせて、様々なものが適宜選択可能である。特に、紙製であると、あらゆる装飾方法が選択可能であり、かつ、折り曲げが容易で蓋体を形成しやすい点で好ましい。
【００１０】
蓋体を覆う透明なカバーは、蓋体に施した装飾を保護し、装飾による視覚的な訴求効果を維持する効果がある。
カバーとしては、例えば、ポリエチレンテレフタレート、ポリトリメチレンテレフタレート、ポリブチレンテレフタレート、ポリエチレンナフタレート、ポリブチレンナフタレートその他のポリエステル樹脂、ポリエチレン樹脂、ポリプロピレン樹脂、ポリスチレン樹脂、ポリ塩化ビニル樹脂、アクリル樹脂などが使用でき、基材の装飾を視認できる程度に透明であれば良く、無色、有色を問わず様々な材質のものが適宜選択可能である。蓋体の装飾と組み合わせて視覚的な訴求効果を得ることができるものであれば、カバー自体に装飾が施されていても良い。特にポリエチレンテレフタレートであると、透明性や耐久性に優れ、また、表面が傷つきにくく、装飾による視覚的な訴求効果を損なわないため好ましい。
カバーの蓋体への取付方法は、蓋体と共に折り曲げたり、糊付けなど様々な方法が選択可能である。特に、蓋体と共に折り曲げて取り付ける方法であると、取り外しも容易になるため、装飾を加工したり、カバー自体を取り替えることができるので、より長期に渡り使用者が所望の視覚的な訴求効果を発現、維持させることができる。
【００１１】
収納部の内部には、使用者の用途に応じて様々なものが収納可能だが、少なくとも蓋体に装飾を施すクレヨン及び／又は絵の具といった描画材を収納することによって、蓋体の装飾に必要な描画材を別途用意する必要が無く、容易に、使用者が所望の装飾を施した収納箱を得ることができる。
【実施例】
【００１２】
以下、図面に基づき、本発明の一例について説明する。
図１に収納箱１の一例の斜視図を示す。蓋体２は、紙製の基材を折り曲げて作成しており、天面には装飾３が施されている。蓋体２は透明なポリエチレンテレフタレートからなるカバー４に覆われており、蓋体２に施した装飾３を保護しつつも外部から視認可能となっており、視覚的な訴求効果を維持可能なものとしている。カバー４が取り付けられた蓋体２と、紙製の収納部５によって、収納箱１が構成されている。
収納部５にはクレヨンを収納しており、該クレヨンを用いて蓋体２に直接装飾３を施しており、別途描画材を用意せずとも、蓋体２に装飾３を施すことが可能となった。なお、収納物としては、クレヨン以外にも、絵の具を収納したり、これらを同時に収納しても良い。
【００１３】
図２は蓋体２の展開図を示しており、装飾３を施していない内面を表した図である。図３は透明なカバー４の展開図を示している。２図を使い、蓋体２にカバー４を取り付ける方法を説明する。
蓋体２の角部２ａと、カバー４の角部４ａをそれぞれ４点重ね合わせ、折り曲げ線２ｂ及び折り曲げ線４ｂを折り曲げて、カバー４の折り代４ｃが蓋体２の短手方向端部２ｃを覆い、カバー４の短手方向端部４ｄを蓋体２の天面の内面２ｃに接触させる。角部２ａ及び角部４ａが重なった部分と、短手方向端部２ｃと短手方向端部４ｄが重なった部分とを、それぞれ内側に９０度折り曲げ、蓋体２及びカバー４の短手方向の側面を形成する。次に、蓋体２の長手方向端部２ｅと、カバー４の折り代４ｅとが重なるように、折り曲げ線４ｆを折り曲げ、折り代４ｅが角部２ａ及び角部４ａが重なった部分に接触するよう、折り曲げ線４ｈを折り曲げる。最後に、カバー４の長手方向端部４ｇを、折り代４ｃと内面２ｄの間に挟みこむことで、カバー４を蓋体２に取り付ける。
図４は収納部５の展開図であり、先述のカバー４と同様の方法で折り曲げて収納部５を形成する。
【００１４】
図５は、実施例２の収納箱１の斜視図である。実施例１と異なる点は、装飾方法であり、実施例２の収納箱１は、蓋体２と透明なカバー４との間に、装飾３を施した紙である装飾部材６を挟みこんでいる。このように装飾３をあらかじめ施した別部材を使用することによって、装飾３の変更が容易となる。
【符号の説明】
【００１５】
１      収納箱
２      蓋体
２ａ    角部
２ｂ    折り曲げ線
２ｃ    短手方向端部
２ｄ    内面
２ｅ    長手方向端部
３      装飾
４      カバー
４ａ    角部
４ｂ    折り曲げ線
４ｃ    折り代
４ｄ    短手方向端部
４ｅ    折り代
４ｆ    折り曲げ線
４ｇ    長手方向端部
４ｈ    折り曲げ線４ｈ
５      収納部
６      装飾部材
【図１】
2019014480.tif 000003
【図２】
2019014480.tif 000004
【図３】
2019014480.tif 000005
【図４】
2019014480.tif 000006
【図５】
2019014480.tif 000007
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
収納部と、紙を折り曲げて構成した蓋体とから少なくともなる収納箱の、少なくとも蓋体に装飾を施し、蓋体を覆うポリエチレンテレフタレートからなる透明なカバーに、蓋体を構成する紙と重ねて折り曲げた際に蓋体の側壁内面と収納部の側壁外面との間に位置する折り代を備えた、収納箱。
【請求項２】
前記収納部が、少なくとも前記蓋体に装飾を施すクレヨン及び／又は絵の具を収納する請求項１に記載の収納箱。
【手続補正２】
【補正対象書類名】明細書
【補正対象項目名】０００３
【補正方法】変更
【補正の内容】
【０００３】
【特許文献１】特開２０１６−１３７９２２号公報
【手続補正３】
【補正対象書類名】明細書
【補正対象項目名】０００５
【補正方法】変更
【補正の内容】
【０００５】
本発明は、収納部と、紙を折り曲げて構成した蓋体とから少なくともなる収納箱の、少なくとも蓋体に装飾を施し、蓋体を覆うポリエチレンテレフタレートからなる透明なカバーに、蓋体を構成する紙と重ねて折り曲げた際に蓋体の側壁内面と収納部の側壁外面との間に位置する折り代を備えた、収納箱を第１の要旨とし、前記収納部が、少なくとも前記蓋体に装飾を施すクレヨン及び／又は絵の具を収納する収納箱を第２の要旨とする。
【手続補正４】
【補正対象書類名】明細書
【補正対象項目名】０００６
【補正方法】変更
【補正の内容】
【０００６】
本発明の収納箱は、収納部と、紙を折り曲げて構成した蓋体とから少なくともなる収納箱の、少なくとも蓋体に装飾を施し、蓋体を覆うポリエチレンテレフタレートからなる透明なカバーに、蓋体を構成する紙と重ねて折り曲げた際に蓋体の側壁内面と収納部の側壁外面との間に位置する折り代を備えているため、装飾を施した部分を保護することができつつ、収納箱の外部への視覚的な訴求効果を維持することができ、かつ、カバーを蓋体から取り外し易くなり、さらにカバーを取り付けた蓋体を収納部から取り外し易くなる。また前記収納部が、少なくとも前記蓋体に装飾を施すクレヨン及び／又は絵の具を収納するものとすることで、収納箱の装飾に必要な描画材を別途用意する必要が無く、容易に、使用者が所望の装飾を施した収納箱を得ることができる。